(57)【特許請求の範囲】
【請求項１】
内壁支持部材と外壁支持部材とを、弾性変形が抑制された弾性部材により連結して結合してなる防振壁構造であって、
前記弾性部材は、湾曲部と、前記湾曲部の一方に第１平面部分と、前記湾曲部の他方に第２平面部分とが形成されるように成形されたバネ板とされ、
前記第１平面部分は前記内壁支持部材と連結され、前記第２平面部分は前記外壁支持部材と連結され、それにより前記内壁支持部材の前記外壁支持部材に対する鉛直方向の相対的変位が抑制されてなる
ことを特徴とする防振壁構造。
【請求項２】
内壁支持部材と外壁支持部材とを、弾性変形が抑制された弾性部材により連結して結合してなる壁構造であって、
前記弾性部材は、湾曲部と、前記湾曲部の一方に第１平面部分と、前記湾曲部の他方に第２平面部分とが形成されるように成形されたバネ板とされ、
前記第１平面部分と前記第２平面部分とはほぼ平行とされ、
前記第１平面部分は前記内壁支持部材と連結され、前記第２平面部分は前記外壁支持部材と連結され、それにより前記内壁支持部材の前記外壁支持部材に対する鉛直方向の相対的変位が抑制され、
前記連結は、内壁下地と外壁パネルフレームとはわずかな隙間となるようににされてなる
ことを特徴とする防振壁構造。
【請求項３】
前記バネ板が金属材料から形成されてなることを特徴とする請求項１または２記載の防振壁構造。
【発明の詳細な説明】
【０００１】
【発明の属する技術分野】
本発明は防振壁構造に関する。さらに詳しくは、内壁支持部材と外壁支持部材とが結合された壁構造に防振対策を施してなる防振壁構造に関する。
【０００２】
【従来の技術】
従来より、木造またはプレハブなどの一般向け住宅用家屋では、外壁を支持する外壁支持部材と内壁を支持する内壁支持部材とが一体化または共通とされることが多い。また、両支持部材が一体化または共通とされていない場合にも、両支持部材を結合させて強度的にも互いに依存するように構成されるのが通常であり、このような構成は下地が簡略化できるのでコストや施工性の点で優れている。
【０００３】
図７に従来の一般的な壁構造を示す。この壁構造７０は、外壁７１を支持する外壁パネルフレーム７２および外壁下地７３などの外壁支持部材と、内壁面材７４を支持する内壁下地７５などの内壁支持部材とが互いに結合されてなるものである。図中符号７６は外壁パネルフレーム７２が取付けられる柱である。
【０００４】
一方、遮音性に関しては、内壁支持部材と外壁支持部材との結合体がいわゆるサウンドブリッジとなって外壁の振動を内壁に伝播してしまうという欠点がある。この点いわゆるカーテンウォール式の壁構造では、外壁と内壁とが分離されることで遮音性は向上するが、コストや施工性の点において不利である。
【０００５】
また、内壁面材の上下端が家屋の構造体に緊結されているような場合は、内壁面材が上下の構造体間の固体伝播音の経路や放射媒体となるという問題もある。
【０００６】
そこで、ゴム材や発泡樹脂などの弾性体を支持部材や緩衝材として用いて内壁面材を防振する例もあるが、可燃物を新たに付加することは耐火性を低下させる原因となるとともに、これら弾性体が３軸ともに弾性を有する場合は内壁面材が自重により下方に変位するなど、安定性や精度を損なうおそれがあるという問題がある。
【０００７】
【発明が解決しようとする課題】
本発明はかかる従来技術の課題に鑑みなされたものであって、家屋の強度や耐火性を損なうなどの弊害を招くことなく遮音性を高めることができる防振壁構造を提供することを目的としている。
【０００８】
【課題を解決するための手段】
本発明の防振壁構造の第１形態は、内壁支持部材と外壁支持部材とを、弾性変形が抑制された弾性部材により連結して結合してなる防振壁構造であって、
前記弾性部材は、湾曲部と、前記湾曲部の一方に第１平面部分と、前記湾曲部の他方に第２平面部分とが形成されるように成形されたバネ板とされ、
前記第１平面部分は前記内壁支持部材と連結され、前記第２平面部分は前記外壁支持部材と連結され、それにより前記内壁支持部材の前記外壁支持部材に対する鉛直方向の相対的変位が抑制されてなる
ことを特徴とする。
【０００９】
本発明の防振壁構造の第２形態は、内壁支持部材と外壁支持部材とを、弾性変形が抑制された弾性部材により連結して結合してなる壁構造であって、
前記弾性部材は、湾曲部と、前記湾曲部の一方に第１平面部分と、前記湾曲部の他方に第２平面部分とが形成されるように成形されたバネ板とされ、
前記第１平面部分と前記第２平面部分とはほぼ平行とされ、
前記第１平面部分は前記内壁支持部材と連結され、前記第２平面部分は前記外壁支持部材と連結され、それにより前記内壁支持部材の前記外壁支持部材に対する鉛直方向の相対的変位が抑制され、
前記連結は、内壁下地と外壁パネルフレームとはわずかな隙間となるようににされてなる
ことを特徴とする。
【００１０】
本発明の防振壁構造においては、前記バネ板が金属材料から構成されるのが好ましい。
【００１１】
【作用】
本発明は前記の如く構成されているので、遮音性を向上させることができ、かつ内壁の過大な変形、家屋の強度の低下および耐火性の低下などの弊害を招くのを防止できる。
【００１２】
【発明の実施の形態】
以下、添付図面を参照しながら本発明を実施形態に基づいて説明するが、本発明はかかる実施形態のみに限定されるものではない。
【００１３】
実施形態１
図１に本発明の実施形態１に係る防振壁構造の概略構成を示し、この防振壁構造１０は、外壁１１と、内壁１２と、これら各壁１１、１２を支持する壁支持構造１３とから構成されている。
【００１４】
壁支持構造１３は、柱２０に取付けられた外壁パネルフレーム２１および外壁下地２５などからなる外壁支持部材Ａと、内壁下地２４などからなる内壁支持部材Ｂと、両支持部材Ａ，Ｂを結合する弾性部材としてのバネ部材２３とから構成されている。
【００１５】
バネ部材２３は、図２に示すように、内壁支持部材Ｂの外壁支持部材Ａに対する鉛直方向の相対的変位を抑制できるように、１軸方向（図の矢印Ｄの方向）の弾性変形が抑制されている。すなわち、バネ部材２３は例えばステンレス鋼などの金属製の方形平板を適宜湾曲および折曲して、湾曲部分２３ａを形成するとともに、この湾曲部分２３ａの両側に第１および第２の平面部分２３ｂ、２３ｃが互いに略垂直となるように形成されてなるものである。第１および第２の平面部分２３ｂ、２３ｃの適宜位置には複数のビス挿通孔２３ｄが穿設されている。
【００１６】
図３および図４にバネ部材による各部材の結合の様子を示す。湾曲部分２３ａは１軸方向の弾性変形が抑制された弾性体として機能する。
【００１７】
第１の平面部分２３ｂは内壁下地２４の反内壁側側面２４ａに固定され、第２の平面部分２３ｃは外壁パネルフレーム２１の内側に取付けられた木片２２に外壁１１と垂直に固定される。
【００１８】
木片２２は外壁パネルフレーム２１のフレーム外側からビスなどによって取り付けられる。内壁下地２４と外壁パネルフレーム２１とはわずかな隙間（例えば、５ｍｍ）Ｌ隔てて、バネ部材２３により連結される。また、各平面部分２３ｂ、２３ｃは、例えばステンレス製のビス２６によって相手部材に固定される。
【００１９】
なお、図３および図４では内壁下地２４と外壁パネルフレーム２１とがバネ部材２３により連結される様子を示したが、内壁下地２４と外壁下地２５とのバネ部材２３による連結もこれと同様に行われる。
【００２０】
この構成により、内壁１２に図４の水平方向に荷重がかかってもバネ部材２３の弾性領域内で両下地２４、２５が接触するため、内壁１２の過大な変位は避けられる。また、バネ部材２３の鉛直方向の弾性変形は抑制されるので、内壁１２の自重による鉛直方向の変位もある程度抑えられる。
【００２１】
このように、本実施形態の防振壁構造１０によれば、内壁下地２４が外壁１１を支持する外壁パネルフレーム２１または外壁下地２５とバネ部材２３を介してわずかな隙間Ｌ隔てた状態で連結されているので、外壁支持部材Ａと内壁支持部材Ｂとの結合体がいわゆるサウンドブリッジを形成するのを防止することができ、これによって遮音性が向上する。また、内外一体型パネルのままの施工が可能であるため、施工性を損なわないとともに、内壁下地２４と外壁下地２５とを完全独立下地とするより安価に施工できる。
【００２２】
また、バネ部材２３がステンレス鋼などの金属材料から構成されているので耐火性の低下を招くこともない。
【００２３】
実施形態２
図５に、本発明の実施形態２に係る防振壁構造における壁支持構造を示し、この壁支持構造３０は、実施形態１の壁支持構造１３のバネ部材２３をバネ部材３１に代えたものであり、その余の構成は全て同一とされている。
【００２４】
バネ部材３１は実施形態１と同様に金属製の方形平板を適宜湾曲および折曲して、湾曲部分３１ａを形成するとともに、この湾曲部分３１ａの両側に第１および第２の平面部分３１ｂ、３１ｃを形成してなるものである。しかしながら、各平面部分３１ｂ、３１ｃは実施形態１とは異なり互いに略平行、または同一平面上となるように形成されている。第１および第２の平面部分３１ｂ、３１ｃの適宜位置には複数のビス挿通孔（図示省略）が穿設されている。
【００２５】
湾曲部分３１ａは実施形態１と同様に１軸方向の弾性変形が抑圧された弾性体として機能し、第１の平面部分３１ｂは内壁下地２４の内壁と垂直な１つの側面２４ｂに固定され、第２の平面部分３１ｃは外壁パネルフレーム２１の内側に取付けられた木片２２に外壁１１と垂直に固定されている。木片２２は外壁パネルフレーム２１のフレーム外側からビスなどによって取り付けられる。内壁下地２４と外壁パネルフレーム２１とはわずかな隙間（例えば、２ｍｍ）Ｌ隔てて、バネ部材３１により連結される。また、各平面部分３１ｂ、３１ｃは例えばステンレス製のビス２６によって相手部材に固定される。
【００２６】
なお、図５では内壁下地２４と外壁パネルフレーム２１とがバネ部材３１により連結される様子を示したが、内壁下地２４と外壁下地とのバネ部材３１による連結もこれと同様に行われる。
【００２７】
バネ部材３１をこのような形状に形成することによって、内壁下地２４と外壁下地２５または外壁パネルフレーム２１との隙間Ｌを必要に応じて実施形態１におけるよりもさらに小さくすることも可能となる。
【００２８】
実施形態３
図６に、本発明の実施形態３に係る防振壁構造における壁支持構造を示し、この壁支持構造４０は、実施形態１の壁構造１０における壁支持構造１３のバネ部材２３をバネ部材４１に代えたものである。本実施形態は、例えば外壁断面内部にアルミ蒸着シートＧなどの断熱材を設置する場合にバネ部材４１をシート設置の妨げとならないよう構成したものである。
【００２９】
バネ部材４１は、各壁１１、１２に垂直な方向の荷重を軸をずらして受けるように金属製の方形平板を適宜折曲して、形成したもので、金属製の方形平板を略直角に折り曲げた折り曲げ部分の弾性を利用して内壁支持部材Ａと外壁支持部材Ｂとを弾性的に結合するものである。すなわち、同図に示すように、バネ部材４１は、互いに略垂直で適宜位置に複数のビス挿通孔（図示省略）が穿設されている第１および第２の平面部分４１ｂ、４１ｃを有し、各平面部分４１ｂ、４１ｃの析曲部分４１ａが１軸方向の弾性変形が抑圧された弾性体として機能するように構成されている。
【００３０】
第１の平面部分４１ｂは内壁下地２４の内壁１２と垂直な１つの側面２４ｂに固定され、第２の平面部分２３ｃは外壁パネルフレーム２１の内側に取付けられた木片２２に外壁１１と垂直に固定される。木片２２は外壁パネルフレーム２１のフレーム外側からビスなどによって取り付けられる。内壁下地２４と外壁パネルフレーム２１とは各壁１１、１２に垂直な荷重がかかったときに軸が異なる荷重をうけるように配置される。また、各平面部分４１ｂ、４１ｃは例えばステンレス製のビス２６によって相手部材に固定される。
【００３１】
なお、図６では内壁下地２４と外壁パネルフレーム２１とがバネ部材４１により連結される様子を示したが、内壁下地２４と外壁下地２５とのバネ部材４１による連結もこれと同様に行われる。
【００３２】
【発明の効果】
以上詳述したように、本発明の防振壁構造によれば、弾性変形が抑制された弾性部材により外壁支持部材と内壁支持部材とを連結してなるので、外壁支持部材と内壁支持部材との連結部分がいわゆるサウンドブリッジを形成するのを防止することができ、これによって遮音性を向上させることができるとともに、外壁支持部材と内壁支持部材とを独立して設けることによるコスト上昇や施工性低下などを回避することができるという優れた効果を奏する。
【００３３】
また、弾性部材を金属材料で構成することによって耐火性を損なうことなく遮音性を向上させることも可能となる。
【図面の簡単な説明】
【図１】本発明の実施形態１に係る防振壁構造の概略構成を示すブロック図である。
【図２】同壁構造に用いられる弾性部材の形状を示す斜視図である。
【図３】同弾性部材による連結の様子を示す側面図である。
【図４】同弾性部材による連結の様子を示す斜視図である。
【図５】本発明の実施形態２に係る防振壁構造に用いられる弾性部材による連結の様子を示す側面図である。
【図６】本発明の実施形態３に係る防振壁構造に用いられる弾性部材による連結の様子を示す側面図である。
【図７】従来の壁構造の概略構成を示すブロック図である。
【符号の説明】
１０  防振壁構造
１１  外壁
１２  内壁
１３  壁支持構造
２０  柱
２１  外壁パネルフレーム
２２  木材
２３  バネ部材（弾性部材）
２４  内壁下地
２５  外壁下地
【図１】
0004258749.tif 000002
【図２】
0004258749.tif 000003
【図３】
0004258749.tif 000004
【図４】
0004258749.tif 000005
【図５】
0004258749.tif 000006
【図６】
0004258749.tif 000007
【図７】
0004258749.tif 000008